(57)【特許請求の範囲】
【請求項１】
画像データの印刷を受け付ける画像出力受付端末、前記画像データに添付する添付データを保管する添付データ保管サーバ、および携帯端末がネットワークを介して接続される画像出力システムにおいて、
前記画像出力受付端末は、
前記携帯端末または記憶媒体に記憶されている前記画像データ、および、前記添付データの入力を制御する入力制御手段と、
前記添付データの添付指示を受け付ける添付データ受付手段と、
複数の装飾性を有する模様のスタンプデータから所望の前記スタンプデータの選択を受け付けるスタンプデータ受付手段と、
前記添付データ受付手段で受け付けられた前記添付データを、前記ネットワークを介して前記添付データ保管サーバに送信し、前記添付データ保管サーバから前記添付データの保管場所に関するデータを受信して管理する添付データ管理手段と、
前記添付データ管理手段で受信された前記添付データの保管場所に関するデータをコード化し、選択された前記スタンプデータに電子透かしとして埋め込むコード化手段と、
前記スタンプデータを前記画像データに重ねて印刷する印刷実行手段と、を備え、
前記添付データ保管サーバは、
前記画像出力受付端末から受信した前記添付データを記憶する添付データ記憶手段と、
前記添付データの保管場所に関するデータを返信する返信手段と、を備え、
前記携帯端末は、
前記画像出力受付端末の印刷実行手段により印刷された印刷物上のスタンプを撮影する撮影手段と、
前記撮影手段により撮影された前記スタンプに電子透かしとして埋め込まれたコードを読み取り、前記コードに示された前記添付データの保管場所に関するデータに基づいて前記添付データ保管サーバにアクセスし、前記添付データを受信する受信手段と、
前記受信手段により受信された前記添付データを出力する出力手段と、を備え、
前記添付データは、画像データ又は動画データであることを特徴とする画像出力システム。
【請求項２】
画像データの印刷を受け付ける画像出力受付端末、前記画像データに添付する添付データを保管する添付データ保管サーバ、および携帯端末がネットワークを介して接続される画像出力システムの画像出力方法において、
前記画像出力受付端末は、
前記携帯端末または記憶媒体に記憶されている前記画像データ、および、前記添付データの入力を制御する入力制御ステップと、
前記添付データの添付指示を受け付ける添付データ受付ステップと、
複数の装飾性を有する模様のスタンプデータから所望の前記スタンプデータの選択を受け付けるスタンプデータ受付ステップと、
前記添付データ受付ステップの処理で受け付けられた前記添付データを、前記ネットワークを介して前記添付データ保管サーバに送信し、前記添付データ保管サーバから前記添付データの保管場所に関するデータを受信して管理する添付データ管理ステップと、
前記添付データ管理ステップの処理で受信された前記添付データの保管場所に関するデータをコード化し、選択された前記スタンプデータに電子透かしとして埋め込むコード化ステップと、
前記スタンプデータを前記画像データに重ねて印刷する印刷実行ステップと、を含み、
前記添付データ保管サーバは、
前記画像出力受付端末から受信した前記添付データを記憶する添付データ記憶ステップと、
前記添付データの保管場所に関するデータを返信する返信ステップと、を含み、
前記携帯端末は、
前記画像出力受付端末の印刷実行ステップの処理により印刷された印刷物上のスタンプを撮影する撮影ステップと、
前記撮影ステップの処理により撮影された前記スタンプに電子透かしとして埋め込まれたコードを読み取り、前記コードに示された前記添付データの保管場所に関するデータに基づいて前記添付データ保管サーバにアクセスし、前記添付データを受信する受信ステップと、
前記受信ステップの処理により受信された前記添付データを出力する出力ステップと、を含み、
前記添付データは、画像データ又は動画データであることを特徴とする画像出力方法。
【請求項３】
携帯端末または記憶媒体に記憶されている画像データ、および、前記画像データに添付する添付データの入力を制御する入力制御手段と、
前記添付データの添付指示を受け付ける添付データ受付手段と、
複数の装飾性を有する模様のスタンプデータから所望の前記スタンプデータの選択を受け付けるスタンプデータ受付手段と、
前記添付データ受付手段で受け付けられた前記添付データを、ネットワークを介して添付データ保管サーバに送信し、前記添付データ保管サーバから前記添付データの保管場所に関するデータを受信して管理する添付データ管理手段と、
前記添付データ管理手段で受信された前記添付データの保管場所に関するデータをコード化し、選択された前記スタンプデータに電子透かしとして埋め込むコード化手段と、
前記スタンプデータを前記画像データに重ねて印刷する印刷実行手段と、
を備え、
前記添付データは、画像データ又は動画データであることを特徴とする画像出力受付端末。
【請求項４】
前記添付データ受付手段で受け付けられた前記添付データの種別を示すオブジェクトの表示を制御する表示制御手段をさらに備えることを特徴とする請求項３に記載の画像出力受付端末。
【請求項５】
携帯端末または記憶媒体に記憶されている画像データ、および、前記画像データに添付する添付データの入力を制御する入力制御ステップと、
前記添付データの添付指示を受け付ける添付データ受付ステップと、
複数の装飾性を有する模様のスタンプデータから所望の前記スタンプデータの選択を受け付けるスタンプデータ受付ステップと、
前記添付データ受付ステップの処理で受け付けられた前記添付データを、ネットワークを介して添付データ保管サーバに送信し、前記添付データ保管サーバから前記添付データの保管場所に関するデータを受信して管理する添付データ管理ステップと、
前記添付データ管理ステップの処理で受信された前記添付データの保管場所に関するデータをコード化し、選択された前記スタンプデータに電子透かしとして埋め込むコード化ステップと、
前記スタンプデータを前記画像データに重ねて印刷する印刷実行ステップと、  を含む処理をコンピュータに実行させ、
前記添付データは、画像データ又は動画データであることを特徴とするプログラム。
【発明の詳細な説明】
【技術分野】
【０００１】
本発明は、画像データの印刷を行う画像出力受付端末に関し、特に、画像データに重ねて付加情報に基づく印刷オブジェクトを印刷することが可能な画像出力システムおよび画像出力方法、並びに、画像出力受付端末およびプログラム等に関するものである。
【背景技術】
【０００２】
近年、利用者が所有する記憶媒体に記憶されている画像データの印刷を行う画像出力システムが広く普及している。利用者は、画像出力システムの画像出力受付端末を操作することにより、デジタルカメラ等で撮影した画像を印刷することができる。
【０００３】
例えば、特許文献１には、タッチパネル式の案内画面を用いた画像出力サービスが提案されている。
【先行技術文献】
【特許文献】
【０００４】
【特許文献１】特開２００５−１０２２０８号公報
【発明の概要】
【発明が解決しようとする課題】
【０００５】
ところで、近年の携帯電話機やデジタルカメラには、ＧＰＳ（Global
Positioning System）機能を搭載したものが登場しており、画像（写真）データに撮影位置情報が付加されていることもある。また、デジタルカメラは、静止画像だけでなく動画像の撮影を行うことができるため、画像データに音声データが付加されていることも少なくない。
【０００６】
しかしながら、画像データに撮影位置情報や音声データが付加されていても、それを有効活用する印刷システムは提案されていなかった。
【０００７】
本発明は、前述した問題点に鑑みてなされたもので、その目的とすることは、画像上に、付加情報に基づく印刷オブジェクトを重ねて印刷することが可能な画像出力システム等を提供することである。
【課題を解決するための手段】
【０００８】
前述した目的を達成するために、第１の発明は、画像データの印刷を受け付ける画像出力受付端末、前記画像データに添付する添付データを保管する添付データ保管サーバ、および携帯端末がネットワークを介して接続される画像出力システムにおいて、前記画像出力受付端末は、前記携帯端末または記憶媒体に記憶されている前記画像データ、および、前記添付データの入力を制御する入力制御手段と、前記添付データの添付指示を受け付ける添付データ受付手段と、複数の装飾性を有する模様のスタンプデータから所望の前記スタンプデータの選択を受け付けるスタンプデータ受付手段と、前記添付データ受付手段で受け付けられた前記添付データを、前記ネットワークを介して前記添付データ保管サーバに送信し、前記添付データ保管サーバから前記添付データの保管場所に関するデータを受信して管理する添付データ管理手段と、前記添付データ管理手段で受信された前記添付データの保管場所に関するデータをコード化し、選択された前記スタンプデータに電子透かしとして埋め込むコード化手段と、前記スタンプデータを前記画像データに重ねて印刷する印刷実行手段と、を備え、前記添付データ保管サーバは、前記画像出力受付端末から受信した前記添付データを記憶する添付データ記憶手段と、前記添付データの保管場所に関するデータを返信する返信手段と、を備え、前記携帯端末は、前記画像出力受付端末の印刷実行手段により印刷された印刷物上のスタンプを撮影する撮影手段と、前記撮影手段により撮影された前記スタンプに電子透かしとして埋め込まれたコードを読み取り、前記コードに示された前記添付データの保管場所に関するデータに基づいて前記添付データ保管サーバにアクセスし、前記添付データを受信する受信手段と、前記受信手段により受信された前記添付データを出力する出力手段と、を備え、前記添付データは、画像データ又は動画データであることを特徴とする画像出力システムである。
第１の発明によって、画像上に、付加情報に基づく印刷オブジェクトを重ねて印刷することができるとともに、その印刷オブジェクトを読み取ることで、付加情報を得ることができる。
【０００９】
第２の発明は、画像データの印刷を受け付ける画像出力受付端末、前記画像データに添付する添付データを保管する添付データ保管サーバ、および携帯端末がネットワークを介して接続される画像出力システムの画像出力方法において、前記画像出力受付端末は、前記携帯端末または記憶媒体に記憶されている前記画像データ、および、前記添付データの入力を制御する入力制御ステップと、前記添付データの添付指示を受け付ける添付データ受付ステップと、複数の装飾性を有する模様のスタンプデータから所望の前記スタンプデータの選択を受け付けるスタンプデータ受付ステップと、前記添付データ受付ステップの処理で受け付けられた前記添付データを、前記ネットワークを介して前記添付データ保管サーバに送信し、前記添付データ保管サーバから前記添付データの保管場所に関するデータを受信して管理する添付データ管理ステップと、前記添付データ管理ステップの処理で受信された前記添付データの保管場所に関するデータをコード化し、選択された前記スタンプデータに電子透かしとして埋め込むコード化ステップと、前記スタンプデータを前記画像データに重ねて印刷する印刷実行ステップと、を含み、前記添付データ保管サーバは、前記画像出力受付端末から受信した前記添付データを記憶する添付データ記憶ステップと、前記添付データの保管場所に関するデータを返信する返信ステップと、を含み、前記携帯端末は、前記画像出力受付端末の印刷実行ステップの処理により印刷された印刷物上のスタンプを撮影する撮影ステップと、前記撮影ステップの処理により撮影された前記スタンプに電子透かしとして埋め込まれたコードを読み取り、前記コードに示された前記添付データの保管場所に関するデータに基づいて前記添付データ保管サーバにアクセスし、前記添付データを受信する受信ステップと、前記受信ステップの処理により受信された前記添付データを出力する出力ステップと、を含み、前記添付データは、画像データ又は動画データであることを特徴とする画像出力方法である。
第２の発明によって、画像上に、付加情報に基づく印刷オブジェクトを重ねて印刷することができるとともに、その印刷オブジェクトを読み取ることで、付加情報を得ることができる。
【００１０】
第３の発明は、携帯端末または記憶媒体に記憶されている画像データ、および、前記画像データに添付する添付データの入力を制御する入力制御手段と、前記添付データの添付指示を受け付ける添付データ受付手段と、複数の装飾性を有する模様のスタンプデータから所望の前記スタンプデータの選択を受け付けるスタンプデータ受付手段と、前記添付データ受付手段で受け付けられた前記添付データを、ネットワークを介して添付データ保管サーバに送信し、前記添付データ保管サーバから前記添付データの保管場所に関するデータを受信して管理する添付データ管理手段と、前記添付データ管理手段で受信された前記添付データの保管場所に関するデータをコード化し、選択された前記スタンプデータに電子透かしとして埋め込むコード化手段と、前記スタンプデータを前記画像データに重ねて印刷する印刷実行手段と、を備え、前記添付データは、画像データ又は動画データであることを特徴とする画像出力受付端末である。
第３の発明によって、画像上に、付加情報に基づく印刷オブジェクトを重ねて印刷することができる。
【００１１】
第１の発明、および第３の発明に記載の画像出力受付端末は、前記スタンプデータの選択を受け付けるスタンプデータ受付手段を備える。
これにより、元の画像（写真）の見栄えを損なわず、言わば装飾が施された新たな印刷物としての意外性を創出することができる。
【００１２】
前記添付データ受付手段で受け付けられた前記添付データの種別を示すオブジェクトの表示を制御する表示制御手段をさらに備える。
これにより、利用者は、どの画像にどのような添付データが付加されているのかを容易に視認することができる。
【００１３】
第４の発明は、携帯端末または記憶媒体に記憶されている画像データ、および、前記画像データに添付する添付データの入力を制御する入力制御ステップと、前記添付データの添付指示を受け付ける添付データ受付ステップと、複数の装飾性を有する模様のスタンプデータから所望の前記スタンプデータの選択を受け付けるスタンプデータ受付ステップと、前記添付データ受付ステップの処理で受け付けられた前記添付データを、ネットワークを介して添付データ保管サーバに送信し、前記添付データ保管サーバから前記添付データの保管場所に関するデータを受信して管理する添付データ管理ステップと、前記添付データ管理ステップの処理で受信された前記添付データの保管場所に関するデータをコード化し、選択された前記スタンプデータに電子透かしとして埋め込むコード化ステップと、前記スタンプデータを前記画像データに重ねて印刷する印刷実行ステップと、を含む処理をコンピュータに実行させ、前記添付データは、画像データ又は動画データであることを特徴とするプログラムである。
第４の発明に係るプログラムをコンピュータにインストールすることで、第１の発明に係る画像出力受付端末を得ることができる。
【発明の効果】
【００１４】
本発明により、画像上に、付加情報に基づく印刷オブジェクトを重ねて印刷することが可能な画像出力システムおよび画像出力方法、並びに、画像出力受付端末およびプログラムを提供することができる。
【図面の簡単な説明】
【００１５】
【図１】本発明の実施の形態としての画像出力システムの構成例を示す図である。
【図２】画像出力受付端末の外観斜視図である。
【図３】画像出力受付端末のハードウエアの構成例を示すブロック図である。
【図４】製本機のハードウエアの構成例を示すブロック図である。
【図５】画像出力受付端末内のコンピュータの機能構成例を示すブロック図である。
【図６】添付データ保管サーバのハードウエアの構成例を示すブロック図である。
【図７】携帯端末のハードウエアの構成例を示すブロック図である。
【図８】画像出力受付端末の処理を説明するフローチャートである。
【図９】添付データ入力方法選択画面の表示例を示す図である。
【図１０】オンラインアルバムサーバ選択画面の表示例を示す図である。
【図１１】ログイン画面の表示例を示す図である。
【図１２】添付データ選択画面の表示例を示す図である。
【図１３】画像選択画面の表示例を示す図である。
【図１４】スタンプデータ選択画面の表示例を示す図である。
【図１５】印刷物の例を示す図である。
【図１６】添付データ保管サーバの処理について説明するフローチャートである。
【図１７】携帯端末の処理について説明するフローチャートである。
【発明を実施するための形態】
【００１６】
以下、図面に基づいて、本発明の実施形態を詳細に説明する。
【００１７】
図１は、本発明の実施の形態としての画像出力システムの構成例を示す図である。
【００１８】
図１に示すように、画像出力システムは、画像出力受付端末１、画像データ保管サーバ２、添付データ保管サーバ３、および携帯端末４が、ネットワーク５を介して相互に接続されることで構成される。なお、画像出力受付端末１、画像データ保管サーバ２、添付データ保管サーバ３、および携帯端末４の数は、任意であり、それぞれ複数設けることも勿論可能である。
【００１９】
画像出力受付端末１は、店頭において、携帯端末４や記憶媒体６に記憶されている画像データの印刷注文を受け付け、印刷を行う端末である。画像出力受付端末１は、画像データが記憶された携帯端末４や記憶媒体６から画像データを取得し、内部に保持したり、ネットワーク５を介して画像データ保管サーバ２へ送信し、そこに保存させたりする。
【００２０】
画像出力受付端末１は、画像データの印刷とともに添付データの添付指示を受け付けた場合、その添付データを、ネットワーク５を介して添付データ保管サーバ３に送信し、そこに保管させる。そして画像出力受付端末１は、添付データ保管サーバ３からネットワーク５を介して、添付データの保管場所に関するデータ（例えば、URL（Uniform Resource Locator））を受信する。
【００２１】
添付データには、例えば、画像データそのものに添付されている付随データ（音声データ、撮影位置情報、撮影時刻情報など）、画像出力受付端末１が予め準備しているデータ（音声データ、音楽データ、静止画像データ、動画像データ、テキストデータなど）がある。添付データの入力方法としては、以下の４つの方法がある。
１．記憶媒体４を挿入し、そこから添付データを読み込む。
２．ネットワーク５を介して画像データ保管サーバ２（オンラインアルバムサーバ）から画像データを受信し、その画像データに添付されているデータを読み込む。
３．近距離通信によって携帯端末４から読み込む。
４．ネットワーク５を介して画像データ保管サーバ２から携帯端末４がダウンロードした画像データに添付されているデータを、近距離通信によって携帯端末４から読み込む。
【００２２】
画像出力受付端末１は、添付データ保管サーバ３から受信した添付データの保管場所に関するデータをコード化し、コード化した保管場所に関するデータを、印刷オブジェクト（スタンプやマークなど）に電子透かしとして埋め込む。画像出力受付端末１は、保管場所に関するデータが電子透かしとして埋め込まれた印刷オブジェクトを画像データに重ねて印刷し、印刷物７として提供する。以下、印刷オブジェクトをスタンプデータと称する。
【００２３】
画像データ保管サーバ２は、例えば、コンピュータ等であり、画像出力受付端末１や携帯端末４からネットワーク５を介して送信されてきた画像データを保管する外部記憶装置として機能する。また画像データ保管サーバ２は、利用者の自宅等に設置されているパーソナルコンピュータ（図示せず）からネットワーク５を介して送信されてきた画像データも保管する。
【００２４】
添付データ保管サーバ３は、例えば、コンピュータ等であり、画像出力受付端末１からネットワーク５を介して送信されてきた添付データを保管する外部記憶装置として機能する。添付データ保管サーバ３は、添付データの保管場所に関するデータを、ネットワーク５を介して画像出力受付端末１に返信する。
【００２５】
携帯端末４は、例えば、スマートフォン、iPhone（登録商標）、カメラ付き携帯電話機、ipad（登録商標）、携帯型パーソナルコンピュータ等である。通信方法は、例えば、blue
tooth（登録商標）、IR（赤外線通信）等である。携帯端末４は、内蔵カメラで撮影した画像データや、画像データ保管サーバ２からネットワーク５を介して受信した画像データを、画像出力受付端末１に転送し、印刷注文する。
【００２６】
携帯端末４は、印刷物７上に印刷されているスタンプを内蔵のデジタルカメラで撮影し、スタンプに埋め込まれたコードを読み取る。そして、携帯端末４は、コードに示された保管場所に関するデータに基づいて、添付データ保管サーバ３にアクセスし、添付データを受信し、出力する。
【００２７】
ネットワーク５は、インターネットやローカルエリアネットワーク（ＬＡＮ）等のネットワークであり、有線、無線は特に問わない。
【００２８】
記憶媒体６は、例えば、DVD-ROM／CD-ROM／CD-R／CD-RW、コンパクトフラッシュ（登録商標）、SD（Secure Digital）カード、ミニSDカード、マイクロSDカード、xD−ピクチャーカード、Smart Media（登録商標）、MEMORY STICK（登録商標）、USB（Universal Serial Bus）メモリ等である。
【００２９】
図１の例では、画像データ保管サーバ２と添付データ保管サーバ３は、個々に図示されているが、筐体が単一または複数のいずれでもよく、サーバの管理主体が同一または別々のいずれでもよい。
【００３０】
図２は、画像出力受付端末１の外観斜視図である。
【００３１】
画像出力受付端末１の上部正面には、タッチパネル付ディスプレイ１１が配置されている。タッチパネル付ディスプレイ１１は、操作の案内、操作の状況、読み込んだ画像データ等を表示するとともに、利用者からの指示を受け付ける。利用者は、タッチパネル付ディスプレイ１１を介して、印刷注文する画像データの選択、画像データの画像処理の指示等を行う。
【００３２】
タッチパネル付ディスプレイ１１の下部には、メディア投入口１２および通信口１３が設けられている。メディア投入口１２は、各メディア（記憶媒体６）の挿入口であり、複数の挿入口が１箇所にまとめて配置されている。通信口１３は、携帯端末４と通信を行うための通信ポートであり、複数の通信ポート（赤外線ポートやUSB（Universal Serial Bus）ポートなど）が１箇所にまとめて配置されている。
【００３３】
画像出力受付端末１の下段部の前面板１４には、レシート取出口１５、硬貨投入口１６および紙幣挿入口１７のような料金投入口、つり銭返却口１８、印刷物取出口１９、ドア開閉キー２０、メンテナンスキー２１等が設けられている。
【００３４】
レシート取出口１５、硬貨投入口１６、紙幣挿入口１７、つり銭返却口１８は、利用者による印刷物の注文内容に応じた入金を要求する課金手段として機能する。利用者は、硬貨投入口１６に硬貨を投入したり、紙幣挿入口１７に紙幣を挿入したりすることにより、印刷物の料金を支払う。つり銭がある場合には、つり銭返却口１８から放出される。また、料金徴収後、徴収金額や注文内容等が印刷されたレシートがレシート取出口１５から放出される。
【００３５】
印刷物取出口１９には、画像出力受付端末１の筐体内に設置されるプリンタにより印刷された印刷物が排出される。ドア開閉キー２０は、画像出力受付端末１の前面板１４を開閉するためのキーである。メンテナンスキー２１は、利用者が画像出力受付端末１を利用可能な運転モードと、管理者が画像出力受付端末１のメンテナンスや設定、レシートの再印刷等を行う管理モードを切り替えるためのキーである。
【００３６】
次に、画像出力受付端末１の基本的動作について説明する。
【００３７】
画像出力受付端末１は、携帯端末４や記憶媒体６から読み込んだ画像データを液晶ディスプレイ等のタッチパネル付ディスプレイ１１に表示する。利用者は、タッチパネル付ディスプレイ１１に設けられたタッチパネルにより、携帯端末４や記憶媒体６等から読み込んだ画像の中から印刷注文する画像を選択したり、必要に応じて、添付データを選択する。
【００３８】
本実施の形態において、印刷注文の内容には、「通常印刷」と「フォトブック」の２種類がある。「通常印刷」は、熱転写方式などで片面または両面に印画した用紙を出力する（通常の画像印刷を行う）ものである。「フォトブック」は、画像やテキストを熱転写方式などで片面または両面に印画した複数の用紙を用いて製本を行い、製本物を出力（提供）するものである。
【００３９】
利用者は、タッチパネル付ディスプレイ１１に表示された画面上で、印刷注文する画像を選択した後、印刷の実行を指示すると、画像出力受付端末１内のコンピュータが内部プリンタに画像データを転送する。
【００４０】
画像出力受付端末１は、利用者に印刷物の印刷注文に応じた料金を算出、表示し、必要に応じてレシートプリンタによりレシート（引換券）を発行し、利用者に支払いを要求する。画像出力受付端末１は、課金手段により利用者の入金が完了すると、印刷データの印刷を開始する。印刷された印刷物は、印刷物取出口１９から排出され、利用者に提供される。
【００４１】
また画像出力受付端末１は、「フォトブック」を作成する場合、印刷された印刷物を内部製本機に搬送し、印刷物を所定の製本方法で製本する。製本されたフォトブックは、図示せぬフォトブック取出口から排出され、利用者に提供される。
【００４２】
更に、本発明は、その場で印刷物を受け取る場合に限られず、いわゆる「オンライン製本」にも適用可能である。「オンライン製本」とは、利用者などが所有するコンピュータから同様の手順によって印刷物の発注を行い、業者が印刷物を製本し、郵送によって印刷物を受け取るというものである。本発明を「オンライン製本」に適用する場合、後述する図８に示す処理を実行する為のプログラムを、利用者などが所有する汎用のコンピュータにインストールすることによって同様に実現することができる。すなわち、画像出力受付端末１とは、図８に示す処理を実行する為のプログラムがインストールされた汎用のコンピュータも含むものである。
【００４３】
なお、画像出力受付端末１は、料金算出、レシート（引換券）の発行を行うだけでなく、課金機を装備しているため、利用者に入金を要求して現金による課金処理を行うようにすることもできる。
【００４４】
図３は、画像出力受付端末１のハードウエアの構成例を示すブロック図である。
【００４５】
コンピュータ３０は、制御部３１、記憶部３２、入出力部３３、通信部３４等から構成され、各種メディア読取部４１、通信部４２、シャッタ４３、モニタ４４、コインメック４５、ビルバリ４６、レシートジャーナル処理部４７、およびプリンタ４８、および製本機５０を制御する。
【００４６】
制御部３１は、プログラムの実行を行うCPU（Central processing Unit）と、プログラム命令あるいはデータ等を格納するためのRAM（Random Access Memory）、ROM（Read Only Memory）等で構成される。制御部３１は、記憶部３２等に格納されたプログラムに従って、バス３５を介して接続された各装置を制御する。
【００４７】
記憶部３２には、制御部３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００４８】
プログラムのコードは、制御部３１により必要に応じて読み出され、RAMに移され、CPUに読み出されて各種機能として実行される。
【００４９】
入出力部３３は、記憶部３２に格納されているプログラム等の更新や、画像出力受付端末１の設定等を行うメンテナンス時に用いられる。
【００５０】
通信部３４は、通信制御装置、通信ポート等を有し、画像出力受付端末１とネットワーク５間の通信を媒介する通信インターフェースである。通信部３４は、ネットワーク５を介して画像出力受付端末１と他の外部装置（画像データ保管サーバ２、添付データ保管サーバ３）間の通信制御を行う。
【００５１】
各種メディア読取部４１は、メディア投入口１２の各メディアの挿入口に対応して画像出力受付端末１内部に設けられ、挿入された記憶媒体６に予め記憶されている画像データを読み込む。通信部４２は、通信口１３の各通信ポートに対応して設置されており、通信中の携帯端末４に予め記憶されている画像データを読み込む。
【００５２】
シャッタ４３は、メディア投入口１２の各挿入口に設けられ、入力メディアの挿入口を開閉し、読取処理の最中や、課金処理が完了するまで、記憶媒体６を取り出せないようにする。モニタ４４は、タッチパネル付ディスプレイ１１である。
【００５３】
コインメック４５、ビルバリ４６、レシートジャーナル処理部４７は、課金機能の役割を果たす。コインメック４５は、硬貨投入口１６に対応して画像出力受付端末１内部に設けられ、硬貨の入出力を管理する。ビルバリ４６は、紙幣挿入口１７に対応して画像出力受付端末１内部に設けられ、紙幣の入出力を管理する。
【００５４】
レシートジャーナル処理部４７は、レシート取出口１５に対応して画像出力受付端末１内部に設けられ、利用者の徴収金額や注文内容に応じたレシートを印刷する。
【００５５】
プリンタ４８は、印刷物取出口１９に対応して画像出力受付端末１内部に設けられ、印刷物を印刷する。プリンタ４８は、画像データを印刷する高解像度カラープリンタであり、熱転写プリンタあるいはインクジェット型など、プリンタの方式は特に問わない。印刷を行うべく紙は、シート状またはロール状である。
【００５６】
製本機５０は、ローラや搬送路等を有し、プリンタ４８で印刷された印刷物を所定の製本方法で製本しフォトブック等の製本物を作成して出力する。
【００５７】
なお、プリンタ４８は、画像出力受付端末１内部に設けられ、そこで印刷が行われるが、これに限らず、例えば、通信部３４およびネットワークを介して接続されたプリンタサーバに画像データを転送し、そこで印刷を行わせることも勿論可能である。また、製本機５０も、画像出力受付端末１内部に設けられ、そこで製本が行われるが、これに限らず、例えば、図示せぬ搬送路を介して接続された外部の製本機に印刷物を搬送し、そこで製本を行わせるようにしてもよい。すなわち、画像出力受付端末１と、プリンタ４８、製本機５０はそれぞれ別体であってもよい。
【００５８】
図４は、製本機５０のハードウエアの構成例を示すブロック図である。
【００５９】
製本機５０は、印刷物を折りたたむ折り機構５１、印刷物をホチキスや製本テープ、背表紙、糊等で綴じる綴じ機構５２、印刷物を化粧断裁する裁断機構５３等を備えるものを用いることができる。これらの機構としては、既知のものを使用できる。フォトブックの製本方法の詳細については、特開２０１０−１３７５６４号公報等に記載されている通り公知の技術である。
【００６０】
図５は、画像出力受付端末１内のコンピュータ３０の機能構成例を示すブロック図である。図５に示す機能部のうちの少なくとも一部は、図３の制御部３１により画像印刷プログラムが実行されることによって実現される。
【００６１】
入力制御部６１は、各種メディア読取部４１で読み込まれた画像データや通信部４２で読み込まれた画像データの入力を制御する。
【００６２】
表示制御部６２は、入力制御部６１に入力された画像データの一覧表示画面、画像データの印刷サービスを利用者に提供するための画像出力サービス案内画面等の各種画面のモニタ４４上への表示を制御する。
【００６３】
画像受付部６３は、モニタ４４に表示されている画像データの選択画面において、利用者による画像の選択を受け付ける。添付データ受付部６４は、モニタ４４に表示されている添付データの選択画面において、利用者による添付データの選択を受け付ける。
【００６４】
添付データ管理部６５は、添付データ受付部６４で受け付けられた添付データを、ネットワーク５を介して添付データ保管サーバ３に送信し、そこに保管させるとともに、添付データの保管場所に関するデータを受信し、管理する。
【００６５】
添付データの保管場所に関するデータとして、以下に３つの例を挙げる。
１．単一のURL（添付データが１つの場合）
２．単一のURL＋パスワード（添付データが１つの場合であり、単一のスタンプデータに纏めて埋め込んでも良いし、別々のスタンプデータに埋め込んでも良い）
３．複数のURL＋パスワード（添付データが複数の場合）
【００６６】
コード化部６６は、添付データ管理部６５で管理されている添付データの保管場所に関するデータをコード化し、スタンプデータに電子透かしとして埋め込む。電子透かしを埋め込む技術については、様々な手法が提案されており、公知の技術である。
【００６７】
課金部６７は、印刷注文に応じた料金を算出し、その算出結果をモニタ４４に表示させ、利用者に支払いを要求する。また課金部６７は、コインメック４５やビルバリ４６の金銭の入出力を管理する。
【００６８】
印刷実行部６８は、課金部６７によって課金処理が完了すると、印刷対象の画像データやスタンプデータを所定位置に配した後、印刷データに変換し、印刷データの印刷を実行する。
【００６９】
図６は、添付データ保管サーバ３のハードウエアの構成例を示すブロック図である。
【００７０】
添付データ保管サーバ３は、制御部８１、添付データ記憶部８２、通信制御部８３等から構成され、各部はバス８４を介して相互に接続されている。
【００７１】
制御部８１は、CPU、ROM、RAM等で構成され、ROMに格納されたプログラムに従って、バス８４を介して接続された各部を駆動制御する。制御部８１は、通信制御部８３を介して画像出力受付端末１から受信した添付データを添付データ記憶部８２に記憶させる。制御部８１は、添付データ記憶部８２に記憶された添付データの保管場所に関するデータを、通信制御部８３を介して画像出力受付端末１に返信する。
【００７２】
添付データ記憶部８２は、大容量のHDD（ハードディスクドライブ）であり、制御部８１の制御の下、通信制御部８３を介して受信した添付データを記憶する。
【００７３】
通信制御部８３は、通信制御装置、通信ポート等を有し、添付データ保管サーバ３とネットワーク５間の通信を媒介する通信インターフェースであり、ネットワーク５を介して、添付データ保管サーバ３と画像出力受付端末１間の通信制御を行う。
【００７４】
なお、画像データ保管サーバ２は、基本的には、図６に示した添付データ保管サーバ３の構成例と同様であるが、添付データ記憶部８２に代わり、画像データ記憶部を有する。
【００７５】
図７は、携帯端末４のハードウエアの構成例を示すブロック図である。
【００７６】
携帯端末４は、制御部９１、撮影部９２、出力部９３、通信制御部９４等から構成され、各部はバス９５を介して相互に接続されている。
【００７７】
制御部９１は、CPU、ROM、RAM等で構成され、ROMに格納されたプログラムに従って、バス９５を介して接続された各部を駆動制御する。制御部９１は、撮影部９２で撮影されたスタンプからコードを読み取り、コードに示された保管場所に関するデータに基づいて、通信制御部９５を介して添付データ保管サーバ３にアクセスし、添付データを受信する。制御部９１は、受信した添付データを出力部９３に出力する。
【００７８】
撮影部９２は、デジタルカメラ等からなり、制御部９１の制御の下、印刷物７上のスタンプデータに基づくスタンプを撮影する。出力部９３は、ディスプレイやスピーカ等からなり、制御部９１の制御の下、添付データに基づく画像や文字を表示したり、動画や音声を再生したりする。
【００７９】
通信制御部９４は、通信制御装置、通信ポート等を有し、携帯端末４とネットワーク５間の通信を媒介する通信インターフェースであり、ネットワーク５を介して、携帯端末４と、画像出力受付端末１、画像データ保管サーバ２、添付データ保管サーバ３間の通信制御を行う。
【００８０】
次に、図８のフローチャートを参照して、画像出力受付端末１の処理について説明する。この処理は、画像出力受付端末１が起動中、常に実行されているものである。なお、画像出力受付端末１の起動中に表示される各画面を総称して、本発明では「画像出力サービス案内画面」と呼ぶ。
【００８１】
ステップＳ１において、画像出力受付端末１の表示制御部６２は、タッチパネル付ディスプレイ１１（モニタ４４）に画像入力方法選択画面（図示せず）を表示し、所定の画像入力方法が選択されるまで待機する。
【００８２】
利用者は、図示せぬ画像入力方法選択画面において、利用する画像入力方法を選択することで、次の画像出力サービス案内画面へと進むことができる。
【００８３】
なお、画像入力方法としては、以下の４つの方法がある。
１．記憶媒体４を挿入し、そこから画像データを読み込む。
２．ネットワーク５を介して画像データ保管サーバ２（オンラインアルバムサーバ）から画像データを読み込む。
３．近距離通信によって携帯端末４から読み込む。
４．ネットワーク５を介して画像データ保管サーバ２から携帯端末４がダウンロードし、更に、近距離通信によって携帯端末４から読み込む。
【００８４】
ステップＳ１において、画像出力受付端末１の表示制御部６２は、利用者により、図示せぬ画像入力方法選択画面で所定の画像入力方法が選択されたことを検知すると、ステップＳ２に進み、画像絞り込み方法選択画面（図示せず）を表示し、所定の画像絞り込み方法（フォルダから絞り込む、または日付から絞り込む等）が選択されるまで待機する。
【００８５】
利用者は、図示せぬ画像絞り込み方法選択画面において、利用する画像絞り込み方法を選択することで、次の画像出力サービス案内画面へと進むことができる。
【００８６】
ステップＳ２において、画像出力受付端末１の表示制御部６２は、利用者により、図示せぬ画像絞り込み方法選択画面で所定の画像絞り込み方法が選択されたことを検知すると、ステップＳ３に進み、画像データ選択画面（図示せず）を表示する。画像受付部６３は、印刷注文する画像が選択されるまで待機する。
【００８７】
利用者は、図示せぬ画像選択画面において、印刷注文する画像を選択することで、次の画像出力サービス案内画面へと進むことができる。
【００８８】
ステップＳ３において、画像出力受付端末１の画像受付部６３は、利用者により、図示せぬ画像選択画面で印刷注文する画像が選択されたことを検知すると、ステップＳ４に進み、表示制御部６２は、選択画像に対して添付データを付加するか否かの選択を受け付ける画面を表示する。
【００８９】
ステップＳ４において、画像出力受付端末１の表示制御部６２は、利用者により、選択画像に対して所定の添付データを付加する旨の選択を検知すると、ステップＳ５に進む。
【００９０】
ステップＳ５において、画像出力受付端末１の表示制御部６２は、添付データ入力方法選択画面を表示し、所定の添付データ入力方法が選択されるまで待機する。
【００９１】
図９は、添付データ入力方法選択画面１００の表示例を示す図である。
【００９２】
図９に示すように、添付データ入力方法選択画面１００には、利用する添付データ入力方法を選択するための、「メモリカードから添付」、「オンラインアルバムサーバから添付」の選択ボタンが表示されている。
【００９３】
利用者は、図９に示す添付データ入力方法選択画面１００において、利用する添付データ入力方法の選択ボタンを押下することで、次の画像出力サービス案内画面へと進むことができる。
【００９４】
図８の説明に戻る。ステップＳ５において、画像出力受付端末１の表示制御部６２は、利用者により、図９に示す添付データ入力方法選択画面１００で「オンラインアルバムサーバから添付」のボタンが選択されたか否かを判定し、「オンラインアルバムサーバから添付」が選択されたことを検知すると、ステップＳ６に進む。ただし、「メモリカードから添付」が選択されたことを検知した場合には、ステップＳ６、Ｓ７の処理をスキップし、ステップＳ８に進む。
【００９５】
ステップＳ６において、画像出力受付端末１の表示制御部６２は、オンラインアルバムサーバ選択画面を表示し、利用者からの所定のオンラインアルバムサーバの選択を受け付ける。
【００９６】
図１０は、オンラインアルバムサーバ選択画面１１０の表示例を示す図である。
【００９７】
図１０に示すように、オンラインアルバムサーバ選択画面１１０には、利用するオンラインアルバムサーバ（サイト）を選択するための、「サーバＡ」「サーバＢ」・・・「サーバＧ」の選択ボタンが表示されている。
【００９８】
利用者は、図１０に示すアルバムサーバ選択画面１１０において、利用するオンラインアルバムサーバの選択ボタンを押下することで、次の画像出力サービス案内画面へと進むことができる。
【００９９】
ステップＳ６において、画像出力受付端末１の表示制御部６２は、利用者により、オンラインアルバムサーバ選択画面１１０で所定のオンラインアルバムサーバが選択されたことを検知すると、ステップＳ７に進み、ログイン画面を表示し、所定のＩＤおよびパスワードの入力を受け付ける。
【０１００】
図１１は、ログイン画面１２０の表示例を示す図である。
【０１０１】
図１１に示すように、ログイン画面１２０には、選択されたオンラインアルバムサーバにログインするための、ＩＤおよびパスワードの入力欄が表示されている。また、ログイン画面１２０内において、ＩＤおよびパスワードの入力欄の下方には、ソフトウェアキーボードが表示されている。
【０１０２】
利用者は、図１１に示すログイン画面１２０において、ソフトウェアキーボードを用いて、正しいＩＤおよびパスワードを入力することで、次の画像出力サービス案内画面へと進むことができる。
【０１０３】
ステップＳ７において、画像出力受付端末１の表示制御部６２は、利用者により、図１１に示すログイン画面１２０で正しいＩＤおよびパスワードが入力されたことを検知すると、ステップＳ８に進み、添付データ選択画面を表示する。添付データ受付部６４は、選択画像に対して所定の添付データの選択を受け付ける。
【０１０４】
図１２は、添付データ選択画面１３０の表示例を示す図である。
【０１０５】
図１２に示すように、添付データ選択画面１３０には、画像上に重ねて印刷する添付データを選択するための、「画像データＡ」、「動画データＡ」、「音声データＡ」、「文字データＡ」、「画像データＢ」、「動画データＢ」、「音声データＢ」、「文字データＢ」・・・の選択ボタンが表示されている。つまり、添付データは、複数種類用意されている。
【０１０６】
利用者は、図１２に示す添付データ選択画面１３０において、利用する添付データの選択ボタンを押下することで、次の画像出力サービス案内画面へと進むことができる。
【０１０７】
ステップＳ５において、画像出力受付端末１の表示制御部６２は、利用者により、図９に示す画像入力方法選択画面１００で「メモリカードから添付」のボタンが選択されたことを検知すると、ステップＳ６、ステップＳ７の処理を行わず、記憶媒体６に記憶されている添付データを、図１２に示す添付データ選択画面１３０に表示する。そして、添付データ受付部６４は、選択画像に対して所定の添付データの選択を受け付ける。
【０１０８】
なお、図１２に示す添付データ選択画面１３０の表示例では、「メモリカードから添付」、「オンラインアルバムサーバから添付」の選択ボタンのみだが、その他の入力方法として、選択画像そのものに付加されている音声データのほか、画像出力受付端末１に予め保存されている複数の音声データや音楽データをも添付データの候補とすることができる。
【０１０９】
また、いずれの入力方法においても、図１２に示すような、選択可能な添付データのファイル名やサムネイル画像が一覧表示される。
【０１１０】
ステップＳ８において、画像出力受付端末１の添付データ受付部６４は、利用者により、添付データ選択画面１３０で所定の添付データが選択されたことを検知すると、表示制御部６２は、画像選択画面を再表示する。
【０１１１】
図１３は、画像選択画面１４０の表示例を示す図である。
【０１１２】
図１３に示すように、画像選択画面１４０には、選択画像Ｐ１〜Ｐ６に対して所定の添付データが付加されていることがマークＭ１〜Ｍ６で示されている。図１３の例では、マークＭ１、Ｍ５は、「画像データ」が付加されていることを表し、マークＭ２、Ｍ６は、「動画データ」が付加されていることを表し、マークＭ３、Ｍ４は、「音声データ」が付加されていることを表している。
【０１１３】
図１３に示すように、添付データの種別を示すマーク（オブジェクト）の表示によって、利用者は、どの画像にどのような添付データが付加されているのかを容易に視認することができる。
【０１１４】
図８の説明に戻る。ステップＳ８において、画像出力受付端末１の表示制御部６２は、利用者により、スタンプデータ選択画面の表示が指示されたことを検知すると、スタンプデータ選択画面を表示する。添付データ受付部６４は、選択された添付データを電子透かしとして埋め込むためのスタンプデータの選択を受け付ける。
【０１１５】
図１４は、スタンプデータ選択画面１５０の表示例を示す図である。
【０１１６】
図１４に示すように、スタンプデータ選択画面１５０には、ハート模様のスタンプ、「Ｈａｐｐｙ」模様のスタンプ、花びら模様のスタンプ、「Ｌｏｖｅ」模様のスタンプの選択ボタンが表示されている。
【０１１７】
利用者は、図１４に示すスタンプデータ選択画面１５０において、利用するスタンプの選択ボタンを押下することで、次の画像出力サービス案内画面へと進むことができる。
【０１１８】
図８の説明に戻る。ステップＳ８において、画像出力受付端末１の添付データ受付部６４は、利用者により、添付データおよびスタンプデータが選択されたことを検知すると、ステップＳ９に進む。
【０１１９】
ステップＳ９において、画像出力受付端末１の添付データ管理部６５は、ステップＳ８の処理で選択された添付データを、ネットワーク５を介して添付データ保管サーバ３に送信する。ステップＳ１０において、画像出力受付端末１の添付データ管理部６５は、添付データ保管サーバ３からネットワーク５を介して返信されてきた、添付データの保管場所に関するデータを受信する。なお、添付データ保管サーバ３が実行する、添付データの保管場所に関するデータの返信処理は、図１６を参照して後述する。
【０１２０】
ステップＳ１１において、画像出力受付端末１のコード化部６６は、ステップＳ１０の処理で受信された添付データの保管場所に関するデータをコード化し、ステップＳ８の処理で選択されたスタンプデータに電子透かしとして埋め込む。
【０１２１】
利用者は、添付データおよびスタンプデータの選択作業を行った後、印刷実行を指示すると、ステップＳ１２において、画像出力受付端末１の印刷実行部６８は、ステップＳ１１の処理で電子透かしとして添付データの保管場所に関するデータが埋め込まれたスタンプデータを印刷対象の画像データに重ねて印刷データに変換し、印刷データをプリンタ４８に送信し、印刷を指示する。印刷された印刷物７は、印刷物取出口１９から排出され、利用者に提供される。
【０１２２】
そして、印刷終了後、画像出力受付端末１の制御部３１は、図８のステップＳ１に戻り、画像入力方法選択画面を再び表示し、待機状態となる。
【０１２３】
図１５は、以上の処理によって印刷された印刷物７の例を示す図である。
【０１２４】
図１５（ａ）に示す印刷物７ａには、画像上に、添付データの保管場所に関するデータが電子透かしとして埋め込まれたスタンプＳ１が重ねて印刷されている。図１５（ｂ）示す印刷物７ｂには、画像上に、添付データの保管場所に関するデータが電子透かしとして埋め込まれたスタンプＳ２が重ねて印刷されている。
【０１２５】
利用者は、提供された印刷物７ａ、７ｂに印刷されているスタンプＳ１、Ｓ２を携帯端末４に内蔵されたデジタルカメラで撮影し、電子透かしとして埋め込まれた添付データの保管場所に関するデータを取得する。そして、携帯端末４から、ネットワーク５を介して添付データ保管サーバ３にアクセスし、添付データの実体を受信し、出力（再生や表示）することができる。
【０１２６】
図１６は、添付データ保管サーバ３の処理について説明するフローチャートである。
【０１２７】
ステップＳ２１において、添付データ保管サーバ３の通信制御部８３は、制御部８１の制御の下、画像出力受付端末１からネットワーク５を介して添付データを受信する。添付データ保管サーバ３の添付データ記憶部８２は、制御部８１の制御の下、受信した添付データを記憶する。
【０１２８】
ステップＳ２２において、添付データ保管サーバ３の制御部８１は、添付データ記憶部８２に記憶された添付データの保管場所に関するデータを、通信制御部８３およびネットワーク５を介して画像出力受付端末１に返信する。
【０１２９】
このような処理により、画像出力受付端末１は、添付データの保管場所に関するデータを受信し、それをコード化したスタンプを印刷物７に印刷するだけでよい。
【０１３０】
図１７は、携帯端末４の処理について説明するフローチャートである。
【０１３１】
ステップＳ３１において、携帯端末４の制御部９１は、利用者からの指示に応じて、撮影部９２に、印刷物７上のスタンプ（例えば、図１５（Ａ）のスタンプＳ１）を撮影させる。携帯端末４の制御部９１は、撮影部９２で撮影されたスタンプに電子透かしとして埋め込まれているコードを読み取る。
【０１３２】
ステップＳ３２において、携帯端末４の制御部９１は、コードに示された添付データの保管場所に基づいて、通信制御部９４およびネットワーク５を介して添付データ保管サーバ３にアクセスする。ステップＳ３３において、携帯端末４の通信制御部９４は、添付データ保管サーバ３のコードに示された保管場所からネットワーク５を介して、添付データを受信する。携帯端末４の出力部９３は、制御部９１の制御の下、受信した添付データを出力（再生、表示）する。
【０１３３】
［発明の実施の形態における効果］
１．電子透かしとして添付データの保管場所に関するデータを埋め込んだスタンプを画像上に重ねて印刷することにより、印刷物に付加価値情報を加味することができる。
２．利用者は、印刷物上のスタンプを撮影することにより、スタンプに埋め込まれた添付データの保管場所に関するデータを読み取り、添付データの実体を受信し、出力することができる。
３．添付データの保管場所に関するデータを電子透かしとしてスタンプに埋め込むことにより、元の画像（写真）の見栄えを損なわず、言わば装飾が施された新たな印刷物としての意外性を創出することができる。
【０１３４】
［変形例］
１．スタンプデータに添付データの保管場所に関するデータを電子透かしとして埋め込む際に、印刷物を紛失した場合のセキュリティ対策として、添付データの閲覧期間を設定するようにしてもよい。
２．スタンプデータに埋め込むデータとは別にさらにパスワードを管理し、パスワードを知っている利用者のみが添付データを閲覧できるようにしてもよい。
【０１３５】
以上、添付図面を参照しながら、本発明に係る画像出力受付端末等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【０１３６】
１………画像出力受付端末
３………添付データ保管サーバ
４………携帯端末
１１………タッチパネル付ディスプレイ
６１………入力制御部
６２………表示制御部
６３………画像受付部
６４………添付データ受付部
６５………添付データ管理部
６６………コード化部
８１………制御部
８２………添付データ記憶部
９１………制御部
９２………撮影部
９３………出力部
【図１】
0005887769.tif 000002
【図２】
0005887769.tif 000003
【図３】
0005887769.tif 000004
【図４】
0005887769.tif 000005
【図５】
0005887769.tif 000006
【図６】
0005887769.tif 000007
【図７】
0005887769.tif 000008
【図８】
0005887769.tif 000009
【図９】
0005887769.tif 000010
【図１０】
0005887769.tif 000011
【図１１】
0005887769.tif 000012
【図１２】
0005887769.tif 000013
【図１３】
0005887769.tif 000014
【図１４】
0005887769.tif 000015
【図１５】
0005887769.tif 000016
【図１６】
0005887769.tif 000017
【図１７】
0005887769.tif 000018